(57)【要約】【課題】  スキップさせた部分の開始位置をユーザに視覚的に認識させるとともに、このスキップさせた部分の開始位置からの番組の再生が簡単に行え、操作性を向上させた再生装置を提供する。【解決手段】  ＯＳＤ画像作成部５が、チャプタの区別に加えて、今回の番組の再生において再生した部分と、再生していない部分と、を区別したタイムバーを作成する。このタイムバーが、表示装置１２で表示されので、ユーザは表示装置１２において表示されたタイムバーを見ることで、視覚的に今回の番組の再生において再生した部分と、再生していない部分を判断することができる。【選択図】  図１
2006332856.tif 000002
【特許請求の範囲】
【請求項１】
記録媒体に録画されている番組の録画データを読み取る読取手段と、
前記読取手段が読み取った録画データに基づく映像信号を生成し、出力する再生手段と、
再生される番組が複数のチャプタで構成される番組であるとき、この番組を構成するチャプタ毎に、その開始位置の時間情報を取得する時間情報取得手段と、
複数のチャプタで構成される番組が再生されているときに、チャプタを区別したタイムバーの画像を、前記時間情報取得手段により取得されたチャプタ毎の開始位置の時間情報に基づいて作成するタイムバー作成手段と、を備え、
前記再生手段は、前記タイムバー作成手段により作成されたタイムバーの画像を、録画データに基づく映像に重ね合わせた映像信号を生成するＯＳＤ機能を有する再生装置において、
前記タイムバー作成手段は、チャプタの区別に加えて、今回の番組の再生において再生した部分と、再生していない部分と、を区別したタイムバーの画像を作成する手段であり、
前記再生手段が前記タイムバーの画像を重ね合わせた映像信号を出力しているときに、各チャプタの開始位置、および今回の番組の再生において再生した部分と、再生していない部分との境目である境界位置の中から再生位置の選択を受け付ける再生位置受付手段を備え、
さらに、前記タイムバー作成手段は、前記タイムバーとともに、前記再生位置受付手段がその時点で再生位置とする選択を受け付けているチャプタの開始時間を表示させる画像を作成する手段である再生装置。
【請求項２】
記録媒体に録画されている番組の録画データを読み取る読取手段と、
前記読取手段が読み取った録画データに基づく映像信号を生成し、出力する再生手段と、
再生される番組が複数のチャプタで構成される番組であるとき、この番組を構成するチャプタ毎に、その開始位置の時間情報を取得する時間情報取得手段と、
複数のチャプタで構成される番組が再生されているときに、チャプタを区別したタイムバーの画像を、前記時間情報取得手段により取得されたチャプタ毎の開始位置の時間情報に基づいて作成するタイムバー作成手段と、を備え、
前記再生手段は、前記タイムバー作成手段により作成されたタイムバーの画像を、録画データに基づく映像に重ね合わせた映像信号を生成するＯＳＤ機能を有する再生装置において、
前記タイムバー作成手段は、チャプタの区別に加えて、今回の番組の再生において再生した部分と、再生していない部分と、を区別したタイムバーの画像を作成する手段である再生装置。
【請求項３】
前記再生手段が前記タイムバーの画像を重ね合わせた映像信号を出力しているときに、各チャプタの開始位置の中から再生位置の選択を受け付ける再生位置受付手段を備えた請求項２に記載の再生装置。
【請求項４】
前記再生位置受付手段は、各チャプタの開始位置、および今回の番組の再生において再生した部分と、再生していない部分との境目である境界位置の中から再生位置の選択を受け付ける手段である請求項３に記載の再生装置。
【請求項５】
前記タイムバー作成手段は、前記タイムバーとともに、前記再生位置受付手段がその時点で再生位置とする選択を受け付けているチャプタの開始時間を表示させる画像を作成する手段である請求項３または４のいずれかに記載の再生装置。
【発明の詳細な説明】
【技術分野】
【０００１】
この発明は、ＤＶＤやビデオＣＤ等の記録媒体に録画されている番組を再生する再生装置に関する。
【背景技術】
【０００２】
従来、本体にセットされているＤＶＤやビデオＣＤ等の記録媒体に録画されている番組を再生する再生装置が一般に普及している。この種の再生装置は、複数の番組が記録媒体に録画されている場合に、ユーザが所望の番組を簡単に再生できるように以下のように構成されている。再生装置は、再生する番組の選択、指定時に、本体にセットされている記録媒体に録画されている番組毎に、そのタイトルを表示装置に表示させるＯＳＤ画像を作成し、出力する。ここで作成されるＯＳＤ画像は、この時点で選択されている番組と、その他の番組と、を区別した画像である。ユーザは、表示装置に表示されたＯＳＤ画像を見ながら、リモコンや装置本体の操作部のカーソルキー等を操作し、再生する番組の選択、および指定を行う。再生装置は、ここで指定された番組の再生を開始する。
【０００３】
また、記録媒体と、この記録媒体に録画されている番組毎にその番組の再生希望箇所と、を関連づけて記憶する構成を設け、記憶している再生希望箇所を再生開始位置として選択、および指定できる構成を備えた再生装置が特許文献１で提案されている。この再生装置は、記録媒体に録画されている番組の再生中に、ユーザが特定の操作を行うと、再生している番組が録画されている記録媒体のＩＤと、この時点で再生している番組の再生位置と、を関連づけて記憶する。また、再生する番組の選択、指定時に、記録媒体に録画されている番組毎に、記憶している再生希望箇所を表示装置に表示させるＯＳＤ画像を作成し、出力する。ユーザは、表示装置に表示された再生希望箇所の中から再生位置を選択することができる。
【０００４】
また、再生している番組について、その時点における再生位置が視覚的に認識しやすい方法として、タイムバーを表示装置に表示させることが一般に行われている。このタイムバーは、ＯＳＤ画像である。一般的なタイムバーは、再生している番組の長さ（総時間）を横方向の長さで示す棒状の画像であり、また再生している番組の開始位置から、その時点における再生位置までの部分と、残りの部分とを区別した画像である。また、再生している番組が録画されている記録媒体の長さを横方向の長さで示し、この記録媒体に録画されている番組毎に区別したタイムバーや、さらには番組を構成するチャプタで区別したタイムバーを表示装置に表示させることが特許文献２に記載されている。
【０００５】
また、ユーザが番組の再生位置を、その時点における番組の再生位置から、所望の再生位置にスキップさせるスキップ操作において、表示装置に表示させているタイムバーを利用することが一般に行われている。例えば、タイムーバー上でカーソルを所望の再生位置に移動することで、スキップさせる再生位置の選択、および指定が行えるように構成された装置が一般に普及している。
【特許文献１】特開平１１−２７３３１９号公報
【特許文献２】特開２００２−２７３８１号公報
【発明の開示】
【発明が解決しようとする課題】
【０００６】
しかしながら、従来の再生装置が表示装置に表示させるタイムバーは、その時点における再生位置を基準に、この基準よりも時間的に以前の部分と、以後の部分と、で区別して表示しているだけであった。このため、ユーザは再生位置をその時点における再生位置よりも時間的に以後の位置にスキップさせると、今回スキップさせた部分、言い換えれば今回のスキップで再生せずに飛ばした部分、を表示装置に表示されているタイムバーから視覚的に認識することができなかった。したがって、ユーザは、このスキップ操作後に、スキップさせた部分を再生するときには、何度も繰り返しスキップ操作を行う等して、スキップさせた部分の開始位置を見つけなければならなかった。また、スキップさせた部分の開始位置を見つけることができなければ、スキップさせた部分の開始位置よりも時間的に以前の位置を再生位置とするスキップ操作を行って、再生位置がスキップさせた部分の開始位置に達するのを待たなければならなかった。このように、従来の再生装置は、スキップさせた部分を再生するときの操作が煩雑であり、操作性が良くないという問題があった。
【０００７】
この発明の目的は、スキップさせた部分の開始位置をユーザに視覚的に認識させるとともに、このスキップさせた部分の開始位置からの番組の再生が簡単に行え、操作性を向上させた再生装置を提供することにある。
【課題を解決するための手段】
【０００８】
この発明の再生装置は、上記課題を解決するために以下の構成を備えている。
【０００９】
（１）記録媒体に録画されている番組の録画データを読み取る読取手段と、
前記読取手段が読み取った録画データに基づく映像信号を生成し、出力する再生手段と、
再生される番組が複数のチャプタで構成される番組であるとき、この番組を構成するチャプタ毎に、その開始位置の時間情報を取得する時間情報取得手段と、
複数のチャプタで構成される番組が再生されているときに、チャプタを区別したタイムバーの画像を、前記時間情報取得手段により取得されたチャプタ毎の開始位置の時間情報に基づいて作成するタイムバー作成手段と、を備え、
前記再生手段は、前記タイムバー作成手段により作成されたタイムバーの画像を、録画データに基づく映像に重ね合わせた映像信号を生成するＯＳＤ機能を有する再生装置において、
前記タイムバー作成手段は、チャプタの区別に加えて、今回の番組の再生において再生した部分と、再生していない部分と、を区別したタイムバーの画像を作成する手段である。
【００１０】
この構成では、タイムバー作成手段により、チャプタの区別に加えて、今回の番組の再生において再生した部分と、再生していない部分と、を区別したタイムバーの画像が作成され、再生手段がタイムバー作成手段により作成されたタイムバーの画像を、録画データに基づく映像に重ね合わせた映像信号を生成し、出力するので、表示装置において表示されるタイムバーの画像から視覚的に今回の番組の再生において再生した部分と、再生していない部分を判断することができる。したがって、ユーザが再生位置をその時点における再生位置よりも時間的に以後の位置にスキップさせても、スキップさせた部分が表示装置に表示されているタイムバーから視覚的に認識することができる。このため、ユーザは、このスキップ操作後に、スキップさせた部分を再生するとき、スキップさせた部分の開始位置を再生位置とするスキップ操作が簡単に行える。これにより操作性の向上が図れる。
【００１１】
（２）前記再生手段が前記タイムバーの画像を重ね合わせた映像信号を出力しているときに、各チャプタの開始位置の中から再生位置の選択を受け付ける再生位置受付手段を備えている。
【００１２】
この構成では、チャプタの開始位置を再生位置とするスキップ操作が簡単に行える。
【００１３】
（３）前記再生位置受付手段は、各チャプタの開始位置、および今回の番組の再生において再生した部分と、再生していない部分との境目である境界位置の中から再生位置の選択を受け付ける手段である。
【００１４】
この構成では、チャプタの開始位置に加えて、今回の番組の再生において再生した部分と、再生していない部分との境目、すなわちスキップさせた部分の開始位置、を再生位置とするスキップ操作が簡単に行える。
【００１５】
（４）前記タイムバー作成手段は、前記タイムバーとともに、前記再生位置受付手段がその時点で再生位置とする選択を受け付けているチャプタの開始時間を表示させる画像を作成する手段である。
【００１６】
この構成では、選択されているチャプタの開始時間をユーザに認識させることができる。
【発明の効果】
【００１７】
この発明によれば、表示装置において表示されるタイムバーの画像から視覚的に今回の番組の再生において再生した部分と、再生していない部分を判断することができる。したがって、ユーザが再生位置をその時点における再生位置よりも時間的に以後の位置にスキップさせても、スキップさせた部分が表示装置に表示されているタイムバーから視覚的に認識することができる。このため、ユーザは、このスキップ操作後に、スキップさせた部分を再生するとき、スキップさせた部分の開始位置を再生位置とするスキップ操作が簡単に行える。これにより、操作性の向上が図れる。
【００１８】
また、チャプタの開始位置や、スキップさせた部分の開始位置、を再生位置とするスキップ操作が簡単に行え、操作性の一層の向上が図れる。
【発明を実施するための最良の形態】
【００１９】
以下、この発明の実施形態である再生装置について説明する。
【００２０】
図１は、この発明の実施形態である再生装置の主要部の構成を示すブロック図である。この実施形態の再生装置１は、ＤＶＤやビデオＣＤ等の光ディスク１０に録画されている番組（タイトル）を再生する装置である。再生装置１は、本体の動作を制御する制御部２と、本体にセットされている光ディスク１０に録画されている番組の録画データを読み取る読取部３と、読取部３が読み取った録画データを処理する信号処理部４と、ＯＳＤ画像を作成するＯＳＤ画像作成部５と、ＯＳＤ画像作成部５で作成されたＯＳＤ画像を光ディスク１０から読み取った録画データに基づく映像に重ね合わせた合成画像を生成する合成画像生成部６と、装置本体に対する入力操作を行う操作部７と、リモコン１１から送信されてきた装置本体に対する制御信号を受信する受信部８と、を備えている。読取部３は、装置本体にセットされている光ディスク１０に対してレーザ光を照射し、その反射光を検出することで、光ディスク１０に録画されている番組の録画データを読み取るピックアップヘッドを有する。光ディスク１０に録画されているは番組のデータは、エンコードされたデータである。信号処理部４は、読取部３が光ディスク１０から読み取った番組の録画データをデコードする。ＯＳＤ画像作成部５は、再生中の番組に応じたタイムバーや、メニュー画面等の種々のＯＳＤ画像を作成する。このＯＳＤ画像作成部５が、この発明で言うタイムバー作成手段を有する構成である。画像合成部６は、ＯＳＤ画像作成部５で作成されたＯＳＤ画像を、録画データに基づく画像（番組の画像）に重ね合わせた合成画像を生成する。また、画像合成部６には、生成した合成画像の映像信号や録画データに基づく音声信号を生成し、出力する機能も設けられている。画像合成部６から出力された映像信号および音声信号（以下、総称する場合に再生信号と言う。）は、装置本体に接続されている表示装置１２に入力される。この表示装置１２において映像、および音声が出力される。信号処理部４、および画像合成部６が、この発明言う再生手段に相当する。
【００２１】
なお、画像合成部６は、ＯＳＤ画像を重ね合わせていない画像の映像信号、すなわち録画データに基づく画像の映像信号、を作成し出力する場合もあれば、ＯＳＤ画像を予め定められた背景画像に重ね合わせた合成画像の映像信号を作成し出力する場合もある。
【００２２】
操作部７には、複数のキーが設けられている。操作部７は、いずれかのキーが操作されたときに、操作されたキーに応じたコードを制御部２に通知する。また、リモコン受信部８は、リモコン１１から送信されてきた制御信号を受信すると、この制御信号の受信を制御部２に通知する。制御部２は、操作部７、またはリモコン受信部８からの通知に応じて、本体の動作を制御する。
【００２３】
ここで、ＯＳＤ画像作成部５が作成するタイムバーについて説明する。ＯＳＤ画像作成部５は、制御部２からの通知にしたがって、タイムバーを作成する。制御部２が、ＯＳＤ画像作成部５に対して通知する内容については、後述する。タイムバーは、図２に示すように、横方向に長い棒状の画像である。また、再生中の番組が複数のチャプタで構成されている場合には、チャプタ毎に区別されている。図２では、６つのチャプタで構成される番組のタイムバーを示している。タイムバーにおける各チャプタの横方向の長さは、そのチャプタの再生時間と、番組の総再生時間との比率により決定された長さである。すなわち、再生時間が短いチャプタほど、タイムバーにおける横方向の長さが短い。また、チャプタ毎に、その開始位置を指す矢印がタイムバーの上側に付けられている。この実施形態の再生装置１は、タイムバーの上側に付けられている矢印の中から、任意の矢印をスキップさせる再生位置として選択することができる。その時点で選択されている矢印、図２では左から４つめの矢印、は他の矢印と区別された画像である。例えば、選択されている矢印については表示装置１２でハイライト表示される画像であり、他の矢印についてはハイライト表示されない画像である。また、図２では示していないが、後述するように、チャプタの開始位置だけでなく、ユーザが今回の番組の再生時にスキップさせて再生しなかった部分の開始位置にもタイムバーの上側に矢印を付ける。すなわち、この実施形態の再生装置１は、ユーザが今回の番組の再生時にスキップさせて再生しなかった部分の開始位置についても、チャプタの開始位置と同様に、スキップさせる再生位置として選択することができる。
【００２４】
また、タイムバーの下側には、その時点における再生位置を示す矢印が付けられている。また、タイムバーの下側に、番組の総再生時間、およびその時点で選択されている矢印の開始時間を表示させている。ここで言う開始時間とは、番組の先頭から、この時点で選択されている矢印が指す位置までの再生時間であり、番組の先頭は０である。
【００２５】
さらに、ＯＳＤ画像作成部５は、その時点で再生している番組について、今回の再生開始から、これまでに再生した部分（再生済の部分）と、再生していない部分（未再生の部分）とを区別したタイムバーを作成する。例えば、ＯＳＤ画像作成部５は、再生済の部分に対応する領域については表示装置１２で青色（図２においてハッチングで示す部分）に表示され、未再生の部分に対応する領域については表示装置１２で白色に表示されるタイムバーを作成する。したがって、ユーザは表示装置１２で表示されたタイムバーを見ることで、今回の番組の再生において、再生した部分と、再生していない部分と、を視覚的に認識することができる。
【００２６】
図３に番組の再生開始から、スキップが２回行われているときのタイムバーを示す。図３において、再生済の部分で挟まれた未再生の部分がスキップで飛ばされた部分（再生されなかった部分）である。また、上述したように、タイムバーの上側には、スキップさせて再生しなかった部分の開始位置にも矢印が付けられている。
【００２７】
次に、この発明の実施形態である再生装置１の動作について説明する。再生装置１は、本体にセットされている光ディスク１０に録画されている番組の中から、再生する番組が指定されると、指定された番組を再生する再生処理を行う。ユーザは、操作部７またはリモコン１１で再生する番組を指定する入力操作を行う。このとき、再生装置１は、例えばＯＳＤ画像作成部５で、本体にセットされている光ディスク１０に録画されている番組のタイトルを一覧で表示するＯＳＤ画像を作成し、このＯＳＤ画像を表示装置１２の表示画面に表示させて、ユーザに対して再生する番組の選択、指定にかかる操作を支援する。ＯＳＤ画像作成部５は、その時点で選択されている番組と、他の番組とを区別したＯＳＤ画像を作成する。ユーザは、表示装置１２において表示されている映像（ＯＳＤ画像）を見ることで、その時点で選択されている番組を認識する。ユーザは、操作部７またはリモコン１１に設けられているカーソルキー等を操作して、選択されている番組を切り換え、再生する番組を選択した状態で、操作部７、またはリモコン１１に設けられている決定キーを操作し、再生する番組を指定する。
【００２８】
再生装置１は、再生する番組が指定されると、今回指定された番組の再生を開始する前に、この番組の総再生時間、チャプタ数、およびチャプタ毎の開始時間を取得する。再生する番組の総再生時間は、光ディスク１０の管理情報（この光ディスク１０に記録されている各番組を管理するための情報）から取得できる。また、指定された番組のチャプタ数は、この番組についての編集情報から取得できる。この編集情報も光ディスク１０に記録されている。さらに、チャプタ毎の開始時間は、そのチャプタ先頭の時間情報から取得できる。ここで言うチャプタの開始時間とは、番組の先頭から、このチャプタの開始位置までの再生時間であり、番組の先頭は０である。再生装置１は、番組の総再生時間、チャプタ数および各チャプタの開始時間を制御部２のメモリ（不図示）に記憶する。この後、再生装置１は、指定された番組の再生を開始する。
【００２９】
また、この制御部２のメモリには、今回の番組の再生において、再生した部分の時間情報を記憶する記憶領域が設けられている。具体的に言うと、メモリには、今回の番組の再生において、再生の開始位置の時間情報と、再生の停止位置の時間情報とを対応付けて、蓄積的に記憶する記憶領域が設けられている（図４参照）。番組の再生が開始されたときに最初に再生される番組の先頭や、ユーザのスキップ操作により指定された再生位置が、ここで言う再生の開始位置となる。また、ユーザのスキップ操作により再生位置が指定されたときの直前の再生位置が、ここで言う再生停止位置となる。この実施形態の再生装置では、番組の再生を開始すると、まず番組の先頭の位置にかかる時間情報（０：００：００）を再生開始位置の時間情報として制御部２のメモリに記憶する。その後、ユーザのスキップ操作で再生位置をスキップすると、そのときのスキップで再生停止位置となった位置の時間情報を、最後にメモリに記憶した再生開始位置に対応する再生停止位置の時間情報として記憶するとともに、今回のスキップで再生開始位置となった位置の時間情報を、新たな再生開始位置の時間情報として記憶する。再生装置１は、ユーザのスキップ操作で再生位置をスキップする毎にこの処理を繰り返す。これにより、対応付けられている再生開始位置と再生停止位置との間が再生された部分として、メモリに記憶される。また、再生停止位置が対応付けられていない再生開始位置（最後にメモリに記憶された再生開始位置）については、その時点における再生位置との間が再生された部分である。
【００３０】
再生装置１では、読取部３が光ディスク１０に録画されている指定された番組の録画データの読み取りを開始する。このとき、読取部３は、指定された番組の録画データを先頭から読み取る。信号処理部４は、読取部３が読み取った録画データをデコードし、映像データ、および音声データを作成する。また、ＯＳＤ画像作成部５は、制御部２のメモリに記憶している、再生している番組の総再生時間、チャプタ数、各チャプタの開始時間、さらにはメモリに記憶されている再生した部分の時間情報、やその時点における再生位置を用いて、その時点でのタイムバーを作成する。タイムバーにおいて各チャプタの開始位置を指す矢印や、タイムバーにおける各チャプタの横方向の長さは、制御部２のメモリに記憶している、再生している番組の総再生時間、チャプタ数、各チャプタの開始時間に基づいて決定する。また、タイムバーにおける再生済の部分と、未再生の部分については、制御部２のメモリに記憶している再生した部分の時間情報や、その時点における再生位置に基づいて決定する。画像合成部６が、ＯＳＤ画像作成部５で作成されたタイムバーを、信号処理部４で生成された映像データの映像に重ね合わせた合成画像の映像信号、および信号処理部４で生成された音声データに基づく音声信号を生成し、映像信号、および音声信号を再生信号として出力する。
【００３１】
なお、画像合成部６では、タイムバーが表示装置１２の画面下側に表示される合成画像を生成する。
。また、再生装置１の制御部２は、指定された番組の再生開始時に、この番組の先頭のチャプタの開始位置を指す矢印を、この時点で選択されている矢印に設定している。図５（Ａ）は、再生が開始された直後に表示装置１２で表示されるタイムバーを示している。また、図５（Ｂ）は番組の再生開始からある程度の時間経過したときのタイムバーを示している。図５（Ｂ）に示すタイムバーは、番組の再生開始から、この時点までの間に、ユーザによるスキップ操作が行われていない場合であり、また先頭のチャプタの開始位置を指す矢印が選択されている。
【００３２】
ここで、ユーザがスキップ操作を行ったときの動作について説明する。ユーザは、操作部７またはリモコン１１の右カーソルキー、または左カーソルキーを操作することで、タイムバーの上側に表示されている矢印の中から選択する矢印を切り換えることができる。具体的には、ユーザが右カーソルキーを操作すると、制御部２はその時点で選択されている矢印の右隣の矢印を選択されている矢印に設定変更し、ユーザが左カーソルキーを操作すると、制御部２はその時点で選択されている矢印の左隣の矢印を選択されている矢印に設定変更する。例えば、図５（Ｂ）に示すタイムバーが表示装置１２で表示されているときに、ユーザが右カーソルキーを３回操作すると、図５（Ｃ）に示すタイムバーが表示装置１２で表示される。このとき、制御部２は、右カーソルキー、または左カーソルキー操作されたことを検出する毎に、ＯＳＤ画像作成部５に対して設定変更した選択されている矢印や、設定変更した矢印が指す位置に対応する時間情報（先頭から、この位置までの再生時間）を通知している。また、制御部２は、番組再生の進行に応じて、その時点における番組の再生位置や、今回の番組の再生で再生した部分の時間情報をＯＳＤ画像作成部５に通知している。ＯＳＤ画像作成部５は、この通知にしたがってタイムバーを作成している。
【００３３】
ユーザは、タイムバーの上側に付けられている矢印の中から、所望の矢印を選択すると操作部７またはリモコン１１の決定キー操作する。制御部２は、決定キーが操作されたことを検知すると、再生位置をその時点で選択されている矢印が指す位置にスキップさせて再生を開始する。制御部２は、スキップする直前の再生位置と、スキップ後の再生位置との間に、再生されていない未再生の部分があるかどうかを判定し、未再生の部分があれば、この部分の開始位置の時間情報や、この開始位置をスキップ操作での選択位置に追加することをＯＳＤ画像作成部５に通知する。また、制御部２は上記の判定結果にかかわらず、スキップ後の再生位置をＯＳＤ画像作成部５に通知する。ＯＳＤ画像作成部５は、制御部２からの指示にしたがって、タイムバーを作成する。例えば、図５（Ｃ）に示す状態でユーザが決定キーを操作した場合、制御部２は決定キーが操作される直前の再生位置の時間情報、およびこの時間情報で示される位置をスキップ操作での選択位置に追加することをＯＳＤ画像作成部５に通知する。ＯＳＤ画像作成部５は、この指示にしたがって、図６（Ａ）に示すタイムバーを作成する。したがって、ユーザが再生位置をその時点における再生位置よりも時間的に以後の位置にスキップさせても、スキップさせた部分が表示装置１２に表示されているタイムバーから視覚的に認識することができる。
【００３４】
また、このスキップ後に、ユーザがしばらくしてから、再生位置を前回のスキップ操作を行ったときの再生位置に戻したいと思ったときには、左カーソルキーを１回操作するだけで、前回のスキップ操作を行ったときの再生位置を指す矢印を選択することができる（図６（Ｂ）参照）。その後、ユーザが決定キーを操作すると、制御部２が再生位置を前回のスキップ操作を行ったときの再生位置にスキップさせ、この位置から再生を開始する。
このときに、ＯＳＤ画像作成部５が作成するタイムバーを図６（Ｃ）に示す。したがって、ユーザは番組の再生中に、スキップさせて再生しなかった部分を再生したいと思ったときに、この部分の再生が簡単な操作で行える。
【００３５】
なお、上記実施形態では、本願発明を再生装置に適用した例で説明したが、本願発明は記録再生装置にも適用できる。また、タイムバーは、番組の再生中、常時表示装置１２に表示させなくてもよい。例えば、右カーソルキー、または左カーソルキーが操作されたときに、ＯＳＤ画像作成部５でタイムバーの作成を開始し、表示装置１２で表示されるようにしてもよい。この場合、確定キーが操作されたときに、ＯＳＤ画像作成部５でのタイムバーの作成を停止し、表示装置１２で表示されないようにすればよい。
【図面の簡単な説明】
【００３６】
【図１】この発明の実施形態である再生装置の主要部の構成を示すブロック図である。
【図２】この発明の実施形態である再生装置で作成されるタイムバーを示す図である。
【図３】この発明の実施形態である再生装置で作成されるタイムバーを示す図である。
【図４】この発明の実施形態である再生装置のメモリの記憶領域を示す図である。
【図５】この発明の実施形態である再生装置で作成されるタイムバーを示す図である。
【図６】この発明の実施形態である再生装置で作成されるタイムバーを示す図である。
【符号の説明】
【００３７】
１−再生装置
２−制御部
３−読取部
４−信号再生部
５−ＯＳＤ画像作成部
６−画像合成部
７−操作部
８−リモコン受信部
１０−光ディスク
１１−リモコン
１２−表示装置
【図１】
2006332856.tif 000003
【図２】
2006332856.tif 000004
【図３】
2006332856.tif 000005
【図４】
2006332856.tif 000006
【図５】
2006332856.tif 000007
【図６】
2006332856.tif 000008